(57)【要約】【課題】ＡＤＦ搬送読取領域とＦＢＳ読取領域とを共通化することにより幅方向に装置を小型化することが可能な画像読取装置を提供する。【解決手段】スキャナ部３には、ＡＤＦ７を有する原稿押さえカバー８が設けられている。読取載置台６の原稿押さえカバー８と対向する面にプラテンガラス２０が設けられている。プラテンガラス２０の表面全域は、ＦＢＳ読取領域１８に設定されており、その一部がＡＤＦ搬送読取領域１７に設定されている。プラテンガラス２０の表面には、ＦＢＳ読取領域１８とＡＤＦ搬送読取領域１７とを物理的に区分する部材は設けられていない。プラテンガラス２０のＡＤＦ７側の一端側にすくい上げ部材４０が設けられ、その一端側と相対する他方端側に位置決め部材４１が設けられている。この位置決め部材４１の下側が画像読取ユニット２１のホームポジションに設定されている。【選択図】図５
2007259129.tif 000002
【特許請求の範囲】
【請求項１】
ＡＤＦ搬送読取領域とＦＢＳ読取領域とを有するプラテンガラスと、
上記ＡＤＦ搬送読取領域に原稿を対向させつつ該プラテンガラスの副走査方向の一方端へ向けて原稿を搬送する原稿搬送手段と、
上記原稿搬送手段により搬送される原稿の画像を上記ＡＤＦ搬送読取領域の下方で静止した状態で読み取ると共に、上記ＦＢＳ読取領域に載置された静止原稿の画像を該ＦＢＳ読取領域の下方を移動しながら読み取る画像読取手段と、
プラテンガラスの上記一方端に設けられ、上記ＡＤＦ搬送読取領域を通過した原稿をすくい上げるガイド部材と、
プラテンガラスの上記一方端と相対する他方端に設けられ、上記ＦＢＳ読取領域における上記静止原稿の載置位置を決める位置決め部材と、を具備する画像読取装置。
【請求項２】
上記位置決め部材の下方に、シェーディング補正基準部材が主走査方向に延設されている請求項１に記載の画像読取装置。
【請求項３】
上記位置決め部材は上記プラテンガラスの上面に設けられ、上記シェーディング補正基準部材は上記位置決め部材の下面と上記プラテンガラスの上面との間に設けられている請求項２に記載の画像読取装置。
【請求項４】
上記画像読取手段のホームポジションが、上記位置決め部材の下側に設定されている請求項１から３のいずれかに記載の画像読取装置。
【発明の詳細な説明】
【技術分野】
【０００１】
本発明は、ＡＤＦ搬送読取領域に対向させつつ搬送される原稿の画像を読み取る機能(自動搬送原稿読取機能)と、ＦＢＳ読取領域に載置された静止原稿の画像を読み取る機能(静止原稿読取機能)とを備えた画像読取装置に関する。
【背景技術】
【０００２】
従来から、ＣＩＳ（Contact Image Sensor）やＣＣＤ（Charge Coupled Device）等のイメージセンサによって原稿の画像データを読み取る画像読取装置が知られている。この種の画像読取装置としては、原稿搬送手段によってプラテンガラス上に定められたＡＤＦ搬送読取領域に原稿を搬送させる搬送過程において当該原稿の画像を読み取る自動搬送原稿読取機能と、プラテンガラス上に定められたＦＢＳ読取領域に載置された静止原稿を読み取る静止原稿読取機能とを兼ね備えたものが公知である(特許文献１及び２参照)。
【０００３】
図７に、上記原稿搬送手段の一例である原稿搬送装置１１０の概略構成を模式化して示す。同図に示すように、原稿搬送装置１１０は、大別して、ＡＤＦ（Auto Document Feeder：自動原稿搬送機構）９０と給紙装置９１とを備える。
【０００４】
給紙装置９１は、原稿を載置するための給紙トレイ９２に連続して吸入シュート部９３が形成され、該吸入シュート部９３に、吸入ローラ９４、吸入ニップ片９５、分離ローラ９６及び分離ニップ片９７が配設されてなる。
【０００５】
吸入ローラ９４は、吸入シュート部９３の下側のガイド面に回転可能に配設されている。該吸入ローラ９４の対向位置となる吸入シュート部９３の上側のガイド面には、吸入ニップ片９５が吸入ローラ９４に接離可能に配設されており、不図示のバネ材により付勢されて吸入ローラ９４と圧接している。給紙トレイ９２にセットされた原稿は、吸入ニップ片９５により吸入ローラ９４側へ付勢され、吸入ローラ９４と圧接する最下位置の原稿が、吸入ローラ９４の回転を受けて給紙方向へ送り出される。
【０００６】
分離ローラ９６は、上記吸入ローラ９４から給紙方向へ隔てて、吸入シュート部９３の下側のガイド面に回転可能に配設されている。該分離ローラ９６の対向位置となる吸入シュート部９３の上側のガイド面には、分離ニップ片９７が分離ローラ９６に接離可能に配設されており、不図示のバネ材により付勢されて分離ローラ９６と圧接している。吸入ローラ９４により送り出された原稿は、分離ローラ９６と分離ニップ片９７によりニップされ、分離ローラ９６の回転を受けて搬送路９８へ送り出される。
【０００７】
ＡＤＦ９０は、図７に示すように、搬送ローラ９９と、その周囲に配設されたピンチローラ１００ａ，１００ｂ，１００ｃと、搬送路９８とを備えてなる。搬送路９８は、上記吸入シュート部９３から下流側に形成されており、断面視で略Ｕ字形状に形成されている。この搬送路９８に沿って、搬送ローラ９９を囲むようにピンチローラ１００ａ，１００ｂ，１００ｃが上流側から適宜の間隔で配設されている。
【０００８】
プラテンガラス１０２の上面には、装置の奥行き方向に延びる位置決め部材１０５が設けられている。この位置決め部材１０５によって、プラテンガラス１０２の上面がＡＤＦ搬送読取領域１０６とＦＢＳ読取領域１０７とに区画されている。また、ＡＤＦ搬送読取領域１０６の搬送方向下流側には、搬送された原稿の先端を上方へすくい上げるためのすくい上げ部材１０８が設けられている。
【０００９】
このような原稿搬送装置１１０を用いて自動搬送原稿読取機能による画像読取を行う場合は、まず、図８(ａ)，(ｂ)に示すように、画像読取ユニット１０３が、位置決め部材１０５の下方側に設定されたホームポジションＰ１からＡＤＦ搬送読取領域１０６の下側に設定されたポジションＰ２に移動され、当該ポジションＰ２で待機する。
【００１０】
給紙装置９１によって給紙トレイ９２から給送された原稿が搬送路９８に送り出されると、当該原稿は搬送ローラ９９及びピンチローラ１００ａによって搬送される。搬送された原稿は、ＡＤＦ搬送読取領域１０６の上方に設けられたガイド部材１０１と位置決め部材１０５のガイド面１０５ａとによって当該原稿の先端が案内されて、ＡＤＦ搬送読取領域１０６上へ搬送される。その搬送過程において、該ＡＤＦ搬送読取領域１０６の下側のポジションＰ２(図８参照)で待機する画像読取ユニット１０３により、ＡＤＦ搬送読取領域１０６上を通過する原稿の画像が読み取られる。
【００１１】
読取り後の原稿は、その先端がすくい上げ部材１０８のガイド面１０８ａによって上方の搬送ローラ９９側へ案内されて搬送路９８に戻される。そして、搬送ローラ９９とピンチローラ１００ｂ及びピンチローラ１００ｃとによって搬送路９８に沿って当該原稿はＵターン搬送され、最終的に、給紙トレイ９２の上方に配置された排紙トレイ１０４に排出される。なお、画像読取ユニット１０３は、原稿の画像の読取終了後にホームポジションＰ１(図８参照)に戻される。
【００１２】
一方、静止原稿読取機能を用いて原稿の画像を読み取らせる場合は、画像読取ユニット１０３は、図８（ｃ）に示すように、ホームポジションＰ１から上記ポジションＰ２とは反対の方向へ向かってＦＢＳ読取領域１０７の下面に沿って水平に移動する。このとき、画像読取ユニット１０３はＦＢＳ読取領域１０７に対して露光しながら移動する。これにより、原稿の読取面が走査されて静止原稿の画像が読み取られる。なお、この場合も、画像読取ユニット１０３は、原稿の画像の読取終了後にホームポジションＰ１に戻される。
【００１３】
【特許文献１】特開平６−１４１１４３号公報
【特許文献２】特開平１０−５６５４１号公報
【発明の開示】
【発明が解決しようとする課題】
【００１４】
ところで、画像読取装置の幅は、上記したＡＤＦ搬送読取領域１０６及びＦＢＳ読取領域１０７の幅に依存する。これら２つの読取領域１０６，１０７を図７に示すように独立して別個に設けた構成を採用した場合は、読取領域１０６，１０７それぞれの幅を勘案して画像読取装置の幅が決定される。また、読取領域１０６，１０７それぞれの間に上述した位置決め部材１０５が介在している場合はその幅をも考慮して画像読取装置の幅を決定しなければならない。そうすると、画像読取装置の幅は、ＡＤＦ搬送読取領域１０６、ＦＢＳ読取領域１０７及び位置決め部材１０５が配列された幅方向に必然的に大型化するという問題が生じる。
【００１５】
そこで、本発明は上記事情に鑑みてなされたものであり、その目的とするところは、ＡＤＦ搬送読取領域とＦＢＳ読取領域とを共通化することにより幅方向に装置を小型化することが可能な画像読取装置を提供することにある。
【課題を解決するための手段】
【００１６】
(1)本発明は、原稿の画像を読み取る画像読取装置に係り、ＡＤＦ搬送読取領域とＦＢＳ読取領域とを有するプラテンガラスと、上記ＡＤＦ搬送読取領域に原稿を対向させつつ該プラテンガラスの副走査方向の一方端へ向けて原稿を搬送する原稿搬送手段と、上記原稿搬送手段により搬送される原稿の画像を上記ＡＤＦ搬送読取領域の下方で静止した状態で読み取ると共に、上記ＦＢＳ読取領域に載置された静止原稿の画像を該ＦＢＳ読取領域の下方を移動しながら読み取る画像読取手段と、プラテンガラスの上記一方端に設けられ、上記ＡＤＦ搬送読取領域を通過した原稿をすくい上げるガイド部材と、プラテンガラスの上記一方端と相対する他方端に設けられ、上記ＦＢＳ読取領域における上記静止原稿の載置位置を決める位置決め部材と、を具備するものである。ここで、副走査方向とは、画像読取手段が原稿を走査しながら移動する方向のことである。
【００１７】
本発明の画像読取装置は、上記した自動搬送原稿読取機能と静止原稿読取機能とを有する。いずれの機能も上記画像読取手段によって画像が読み取られることにより実現される。上記自動搬送原稿読取機能を用いて原稿の画像を読み取らせる場合は、上記原稿搬送手段に原稿を搬送させる。このとき原稿は、プラテンガラス上に定められたＡＤＦ搬送読取領域に当該原稿の読取面が対向するように搬送される。かかる搬送によって、原稿はプラテンガラスの副走査方向の一方端へ向けて移動される。プラテンガラスの上記一方端には、ガイド部材が設けられている。従って、上記原稿搬送手段により上記一方端に搬送された原稿は、その先端が上記ガイド部材によって上方へすくい上げられて原稿搬送手段に案内される。
【００１８】
また、プラテンガラスには位置決め部材が設けられている。この位置決め部材は、静止原稿読取機能を用いて原稿の画像を読み取らせる際に、原稿の載置位置を決定する際の目安として用いられる。上記位置決め部材は、上記一方端と相対する他方端に設けられている。
【００１９】
このように、プラテンガラスの副走査方向の一方端に上記ガイド部材が設けられ、他方端に上記位置決め部材が設けられているため、プラテンガラスの全域が静止原稿の読取面であるＦＢＳ読取領域として用られ、且つ、その一部が上記ＡＤＦ搬送読取領域として兼用され得る。しかも、上記位置決め部材が設けられているため、静止原稿の位置決めが容易に行われ得る。
【００２０】
(2)上記位置決め部材の下方には、シェーディング補正基準部材が主走査方向に延設されている。このように、位置決め部材によって隠蔽された箇所にシェーディング補正基準部材を設けることで、外光が遮断され、補正精度が向上される。なお、シェーディング補正基準部材とは、画像読取手段による読取性能を向上させるシェーディング補正に用いられるものであり、画像読取手段により読み取られる面に予め定められた基準色が付されている。
【００２１】
(3)上記位置決め部材は上記プラテンガラスの上面に設けられ、上記シェーディング補正基準部材は上記位置決め部材の下面と上記プラテンガラスの上面との間に設けられていることが好ましい。これにより、シェーディング補正板への直接的な汚れの付着が防止される。
【００２２】
(4)また、上記画像読取手段のホームポジションが、上記位置決め部材の下側に設定されていることが望ましい。ここで、ホームポジションとは、画像読取指示の無い場合に画像読取手段が待機する位置のことを意味する。上記ホームポジションが上記位置決め部材の下方に設定されているため、プラテンガラス上に載置された静止原稿を読み取る際の初動が迅速に行われ得る。
【発明の効果】
【００２３】
本画像読取装置によれば、プラテンガラスの副走査方向の一方端に上記ガイド部材が設けられ、他方端に上記位置決め部材が設けられているため、プラテンガラスの全域が静止原稿の読取面であるＦＢＳ読取領域として用られ、且つ、その一部が上記ＡＤＦ搬送読取領域として兼用され得る。これにより、ＡＤＦ搬送読取領域およびＦＢＳ読取領域を個々に設けた場合に比べて装置を幅方向に小型化することができる。また、上記位置決め部材が設けられているため、静止原稿の位置決めが容易に行われ得る。
【発明を実施するための最良の形態】
【００２４】
以下、適宜図面を参照して本発明の実施形態について説明する。なお、以下の実施形態は本発明を具体化した一例にすぎず、本発明の要旨を変更しない範囲で、実施形態を適宜変更できることは言うまでもない。
【００２５】
図１及び図２は、本発明の実施形態に係る複合機１の外観構成を示す斜視図であり、図１は原稿押さえカバー８が閉じられた状態を示し、図２は原稿押さえカバー８が開けられた状態を示す。本複合機１は、下部にプリンタ部２を、上部にスキャナ部３を一体的に備えた多機能装置（ＭＦＤ：Multi Function Device）であり、プリンタ機能、スキャナ機能、コピー機能、ファクシミリ機能を有する。複合機１のうちスキャナ部３が本発明に係る画像読取装置に相当する。したがって、スキャナ機能以外の機能は任意のものであり、例えば、プリンタ部２がなく、プリンタ機能やコピー機能、ファクシミリ機能を有しない単機能のスキャナとして本発明に係る画像読取装置が実施されてもよい。
【００２６】
複合機１は、主に不図示のコンピュータと接続されて、該コンピュータから送信された画像データや文書データを含む記録データに基づいて、プリンタ部２において画像や文書を記録用紙に記録する処理（プリンタ機能）を行う。また、スキャナ部３により読み取られた画像データを電話回線などを通じて接続された通信機器へ転送する処理（ファクシミリ機能）や、ハードディスクドライブ（ＨＤＤ）等の記憶装置や上記コンピュータへ転送する処理（スキャナ機能）を行う。また、コンピュータとの間でデータの送受信をすることなく、スキャナ部３により読み取られた原稿の画像をプリンタ部２において記録用紙に記録する、いわゆる原稿のコピー処理（コピー機能）を行うことも可能である。
【００２７】
図１に示すように、複合機１の外観形状は、高さより横幅及び奥行きが大きい幅広薄型の直方体に概ね形成されている。複合機１の下部のプリンタ部２は、正面に開口１０が形成されている。給紙トレイ１１及び排紙トレイ１２は、開口１０の内側に上下２段に設けられている。給紙トレイ１１には、例えば、Ｂ５サイズやはがきサイズなどのＡ４サイズ以下の記録用紙が収容される。給紙トレイ１１は、必要に応じてスライドトレイ１３を引き出すことによりトレイ面が拡大され、例えば、リーガルサイズの記録用紙が収容できるようになる。給紙トレイ１１に収容された記録用紙がプリンタ部２の内部へ給送されて所望の画像が記録され、排紙トレイ１２へ排出される。
【００２８】
プリンタ部２は、インクジェット記録装置として構成されている。即ち、プリンタ部２は、給紙トレイ１１から給紙された記録用紙に対して、インクジェット方式によってにインク滴を吐出することで読取画像や印刷データに応じた画像を上記記録用紙に記録するものである。画像の記録中は、インクジェット記録ヘッドが記録用紙の幅方向にスライド移動し、このスライド移動にタイミングを合わせて記録用紙が間欠搬送される。なお、プリンタ部２は本発明を実現するうえで直接に関係するものではないため、ここでの詳細な説明は省略する。
【００２９】
なお、プリンタ部２としては、インクジェット記録装置として構成されたものに限られず、例えば、レーザ光を用いて感光体上に形成された静電潜像にトナーを付着させ、更にそのトナーを記録用紙に転写させるレーザプリンタや、アナログ電子写真方式の画像形成装置として構成されていてもよく、また、感光用紙を熱処理して変色させることによって印字するサーマル方式の画像形成装置（所謂サーマルプリンタ）として構成されていてもよい。
【００３０】
複合機１の上面の前方側であって、スキャナ部３の正面側の上面には、プリンタ部２やスキャナ部３を動作させるための操作パネル４が設けられている。操作パネル４は、各種操作ボタンや液晶表示部から構成されている。複合機１は、操作パネル４からの操作指示に基づいて動作する。複合機１が外部のコンピュータに接続されている場合には、該コンピュータからプリンタドライバ又はスキャナドライバを介して送信される指示に基づいても複合機１は動作する。
【００３１】
また、複合機１の正面の左上部には、スロット部５が設けられている。スロット部５には、記憶媒体である各種小型メモリカードが装填可能である。操作パネル４において所定の操作を行うことにより、スロット部５に装填された小型メモリカードに記憶された画像データが読み出される。読み出された画像データに関する情報は、操作パネル４の液晶表示部に表示される。ユーザは、該液晶表示部に表示された情報に基づいて、任意の画像をプリンタ部２により記録用紙に記録させることができる。
【００３２】
複合機１の上部はスキャナ部３である。図１及び図２に示すように、スキャナ部３は、ＦＢＳ（Flatbed Scanner）として機能する読取載置台６に対して、ＡＤＦ（Auto Document Feeder：自動原稿搬送装置）７を備えた原稿押さえカバー８が、背面側の蝶番１５を介して開閉自在に取り付けられてなる。読取載置台６は、複合機１の筐体として構成されており、原稿押さえカバー８と対向する上面にプラテンガラス２０が配設されている。従って原稿押さえカバー８が開かれることによりプラテンガラス２０が読取載置台６の上面として露出され、原稿押さえカバー８が閉じられることによりプラテンガラス２０が覆われる。
【００３３】
また、該プラテンガラス２０に対向するようにして、読取載置台６の内部に画像読取ユニット２１(図６参照)が内蔵されている。スキャナ部３をＦＢＳとして使用する場合には、画像読取ユニット２１がプラテンガラス２０の下方を走査されることにより、該プラテンガラス２０上に載置された原稿の画像が読み取られる。一方、ＡＤＦ７を使用する場合には、該ＡＤＦ７による原稿の搬送過程において、原稿は後述するＡＤＦ搬送読取領域１７(図２及び図４参照)を通過され、該ＡＤＦ搬送読取領域１７の下方で待機する画像読取ユニット２１によって当該原稿の画像が読み取られる。なお、スキャナ部３の構成及び該スキャナ部３による原稿画像の読取動作については、後段において詳細に説明する。
【００３４】
図３は、複合機１の制御部４５の構成を示している。該制御部４５は、スキャナ部３のみでなくプリンタ部２も含む複合機１の全体動作を制御するものである。しかしながら、本実施形態の説明においては、プリンタ部２の構成要素を詳述する必要がないので、図３ではプリンタ部２の構成要素は省略されている。制御部４５は、図３に示すように、ＣＰＵ（Central Processing Unit）４６、ＲＯＭ（Read Only Memory）４７、ＲＡＭ（Random Access Memory）４８、ＥＥＰＲＯＭ（Electrically Erasable and Programmable  ROM）４９を主とするマイクロコンピュータとして構成されており、バス５０を介してＡＳＩＣ（Application Specific Integrated Circuit）５１に接続されている。
【００３５】
ＲＯＭ４７には、複合機１の各種動作を制御するためのプログラム等が格納されている。また、ＥＥＰＲＯＭ４９には、上記プログラムに従った処理に用いられる各種データが格納されている。ＲＡＭ４８は、ＣＰＵ４６が上記プログラムを実行する際に用いる各種データを一時的に記録する記憶領域又はデータやプログラムの展開領域として使用される。
【００３６】
ＣＰＵ４６は、制御部４５を構成する周辺デバイス、或いは制御部４５により制御される被制御機器を統括的に制御するものである。このＣＰＵ４６によって、ＲＯＭ４７に格納されたプログラムや、ＲＡＭ４８またはＥＥＰＲＯＭ４９に格納されたデータが読み出され、上記プログラムに従った演算が行われる。
【００３７】
ＡＳＩＣ５１には駆動回路５３，５５が接続されている。ＡＳＩＣ５１は、ＣＰＵ４６からの指令に従い、スキャナ部３の搬送モータ５２およびキャリッジモータ５５それぞれに通電する相励磁信号等を生成して、該信号を搬送モータ５２およびキャリッジモータ５５それぞれの駆動回路５３，５５に付与する。駆動回路５３，５５を介して駆動信号が搬送モータ５２およびキャリッジモータ５４に通電されることにより、各モータの回転制御が行われる。なお、上記搬送モータ５２およびキャリッジモータ５５が回転制御されることにより、これらのモータの制御対象である搬送ローラ３８やキャリッジ４４が駆動されるが、搬送ローラ３８およびキャリッジ４４の動作については後述する。
【００３８】
また、ＡＳＩＣ５１には、搬送路２６において原稿を検出するためのリードセンサ５６が接続されている。
【００３９】
さらに、ＡＳＩＣ５１には、搬送路２６を搬送される原稿の画像読取りを行うＣＩＳ４３が接続されており、また、複合機１の操作指示を行うための操作パネル４や各種小型メモリカードが挿入されるスロット部５がパネルインターフェース４ａやスロットインターフェース５ａを介して接続されている。さらにまた、パソコン等の外部機器とパラレルケーブルやＵＳＢケーブルを介してデータの送受信を行うためのパラレルインタフェース５９及びＵＳＢインタフェース６０等が接続されている。さらに、ファクシミリ機能を実現するためのＮＣＵ（Network Control Unit）６１やＭＯＤＥＭ６２も接続されている。
【００４０】
以下、スキャナ部３の構成および該スキャナ部３による画像の読取動作について詳細に説明する。
【００４１】
図１に示すように、スキャナ部３の上部にＡＤＦ７を有する原稿押さえカバー８が設けられている。原稿押さえカバー８の上面は、同図に示すように、給紙トレイ２２及び排紙トレイ２３が上下二段に構成されている。ＡＤＦ７は、給紙トレイ２２から後述する搬送路２６を経て排紙トレイ２３へ原稿を連続して搬送する。この原稿の搬送過程において、原稿の画像が読み取られる。
【００４２】
給紙トレイ２２は、原稿押さえカバー８の上面と一体に形成されている。ＡＤＦ７により画像読取りを行う原稿は、複数枚が積層された状態で、給紙方向の先端をＡＤＦ７に挿入するようにして、給紙トレイ２２上に載置される。また、給紙トレイ２２には、複合機１の奥行き方向に隔てて一対の原稿ガイド２４が、奥行き方向へスライド移動可能に設けられている。該原稿ガイド２４は、給紙トレイ２２から起立して、給紙トレイ２２に載置される原稿の幅方向の位置を規制するものであり、周知の連動機構により、一対のいずれか一方の原稿ガイド２４をスライド移動させると、他方の原稿ガイド２４も連動して相反する方向へスライド移動する。
【００４３】
上記した一対の原稿ガイド２４には、給紙トレイ２２の上方向に隔てられた排紙トレイ２３が一体的に形成されている。ＡＤＦ７から排紙された原稿は、その両側を排紙トレイ２３に担持されて、給紙トレイ２２上の原稿と分離した状態で保持される。排紙トレイ２３は、排紙方向の長さが原稿の長さより短いので、原稿の排紙方向先端側は、排紙トレイ２３から垂れ下がるようにして、給紙トレイ２２上に保持される。したがって、給紙トレイ２２上の原稿の給紙方向後端部分の上に、排紙トレイ２３上の原稿の排紙方向先端部分が重なるが、給紙トレイ２２上の原稿の給紙方向先端部分と、排紙トレイ２３上の原稿の排紙方向後端部分とは、排紙トレイ２３により上下二段に保持されているので、これら原稿が混同することはない。また、排紙トレイ２３を短くすることにより、原稿押さえカバー８上に必要な空間を小さくして、複合機１を薄型且つ小型にすることができる。
【００４４】
給紙トレイ２２からＡＤＦ７の内部に至る箇所には吸入シュート部２９が形成されている(図４参照)。ＡＤＦ７を用いて原稿の画像を読み取る場合は、当該原稿は、給紙方向の先端を吸入シュート部２９に挿入するようにして、給紙トレイ２２上に載置される。
【００４５】
また、図１に示すように、給紙トレイ２２のＡＤＦ７が設けられていない側の端部には、給紙トレイ２２の上面から起立する起立姿勢と、給紙トレイ２２の上面と一体に倒伏する倒伏姿勢とに姿勢変化する原稿ストッパ２５が設けられている。原稿ストッパ２５を起立姿勢とすることにより、例えば、給紙トレイ２２と同程度の大きさの原稿がＡＤＦ７から排出された際に、該原稿が原稿ストッパ２５により制止され、給紙トレイ２２から滑り落ちることが防止される。このように、排出された原稿を原稿ストッパ２５で受け止めることにより、給紙トレイ２２の面積を小さくすることができ、給紙トレイ２２が一体的に形成された原稿押さえカバー８を小型化できる。また、原稿ストッパ２５が不要な場合には、図１に示すように倒伏姿勢とすることにより、原稿押さえカバー８から突出せず、梱包時や保管時の複合機１のサイズをコンパクトにできる。
【００４６】
図４は、ＡＤＦ７の内部構成を示す部分断面図である。また、図５は、スキャナ部３の内部構成を示す断面図である。図４に示すように、ＡＤＦ７の内部には、上記給紙トレイ２２と排紙トレイ２３とを連結するようにして、断面視で略Ｕ字形状に形成された搬送路２６が設けられている。搬送路２６は、原稿押さえカバー８に一体に形成されたＡＤＦ本体２７と、該ＡＤＦ本体２７に開閉自在に設けられたＡＤＦカバー２８とによって構成されている。ＡＤＦ７の吸入シュート部２９は、上記給紙トレイ２２が延長されるようにしてＡＤＦ本体２７と一体的に形成されたガイド板３０と、ＡＤＦカバー２８の内側に配設された区画板３１とによって挟まれた上下方向に所定幅の間隙を有する通路として構成されている。
【００４７】
また、湾曲部３２及び排紙シュート部３３も、ＡＤＦ本体２７、ＡＤＦカバー２８、区画板３１等によって挟まれた所定幅の間隙を有する通路として形成されている。
【００４８】
上記搬送路２６には、原稿を搬送するための搬送手段が配設されている。詳細には、図４に示すように、吸入ローラ３４とこれに圧接する吸入ニップ片３５、分離ローラ３６とこれに圧接する分離ニップ片３７、及び搬送ローラ３８とこれに圧接するピンチローラ３９によって搬送手段が構成されている。なお、搬送手段を構成する各ローラやニップ片の構成は一例であり、ローラの数や配置を変更したり、各ニップ片に代えてピンチローラを用いる等、その他の公知の搬送手段に変更できることは勿論である。
【００４９】
図４に示すように、吸入ローラ３４は、吸入シュート部２９の略中央に、そのローラ面の一部をガイド板３０の上面から露出するようにして回転可能に設けられている。また、分離ローラ３６は、該吸入ローラ３４から給紙方向下流側へ隔てた位置に、同様に、そのローラ面の一部をガイド板３０の上面から露出するようにして回転可能に設けられている。これら吸入ローラ３４及び分離ローラ３６には搬送モータ５２（図３参照）が連結されており、該搬送モータ５２からの駆動力が伝達されて回転駆動される。また、吸入ローラ３４及び分離ローラ３６は同径であり、同じ周速度で回転される。
【００５０】
吸入ニップ片３５は、上記区画板３１の吸入ローラ３４の対向位置に、吸入ローラ３４と接離する方向へ揺動可能に設けられている。吸入ニップ片３５は、吸入ローラ３４の軸方向のローラ幅より若干狭い幅のパッド状のものである。吸入ニップ片３５の給紙方向上流側の両側それぞれに回動軸３５ａが形成されており、この回動軸が区画板３１の下面に形成された軸支部３５ｂに軸支されることにより、給紙方向下流側の端部３５ｃが吸入ローラ３４のローラ面に接触可能に進退する。また、吸入ニップ片３５は、不図示のバネ部材により下方へ弾性付勢されており、原稿をニップしない状態で常時吸入ローラ３４に接触されている。なお、パッド状の吸入ニップ片３５に代えてローラを用いてもよいが、パッド状の当接部材とすることにより、当接部材を簡易且つ省スペースで実現することができ、また、当接部材に付与する弾性付勢力の調整が容易である。
【００５１】
分離ニップ片３７は、上記区画板３１の分離ローラ３６の対向位置に、分離ローラ３６と接離する方向へ揺動可能に設けられている。分離ニップ片３７は、分離ローラ３６の軸方向のローラ幅より若干狭い幅のパッド状のものであり、その給紙方向上流側を回動軸として、給紙方向下流側の端部３７ａが分離ローラ３６のローラ面に接触可能に進退する。該分離ニップ片３７は、不図示のバネ部材により下方へ弾性付勢されており、原稿をニップしない状態で常時分離ローラ３６のローラ面に圧接されている。なお、パッド状の分離ニップ片３７に代えてローラを分離ローラ３６に当接させることとしてもよいが、パッド状の当接部材とすることにより、当接部材を簡易且つ省スペースで実現することができ、また、当接部材に付与する弾性付勢力の調整が容易である。
【００５２】
搬送ローラ３８は、搬送路２６の湾曲部３２に配設されている。搬送ローラ３８は、そのローラ面が湾曲部３２の一部をなす程度の外径のものである。搬送ローラ３８は、上記吸入ローラ３４及び分離ローラ３６と同様に、搬送モータ５２（図３参照）からの駆動力が伝達されて回転駆動される。
【００５３】
搬送ローラ３８の周囲には、図４に示すように、ピンチローラ３９が３箇所に設けられている。各ピンチローラ３９は、その軸がバネ片に弾性付勢されてＡＤＦ本体２７又はＡＤＦカバー２８に回転自在に支持されて、搬送ローラ３８のローラ面に圧接している。したがって、搬送ローラ３８が回転すれば、これに従動してピンチローラ３９も回転する。これらピンチローラ３９により、原稿が搬送ローラ３８に圧接されて、搬送ローラ３８の回転力が原稿に伝達される。
【００５４】
原稿押さえカバー８の下面、即ち、プラテンガラス２０と対向する面には押さえ部材１９が設けられている。この押さえ部材１９は、プラテンガラス２０上に載置された原稿を押さえて固定するためのものであり、スポンジ及び板部材などで構成されている。この押さえ部材１９は、原稿から安定した反射光を得るために、全域に亘って白色などの単一色とされている。原稿押さえカバー８の下面の端部であって、搬送ローラ３８の鉛直下方付近には開口１６（図２及び図４参照）が形成されている。この開口１６は搬送路２６に連通している。開口１６は、ＡＤＦ７を用いて原稿の画像を読み取る際に、原稿を搬送路２６からプラテンガラス２０上のＡＤＦ搬送読取領域１７(図２及び図４参照)に露出させ、該ＡＤＦ搬送読取領域１７において原稿の画像が読み取られた後に当該原稿を再び搬送路２６に戻し入れるためのものである。
【００５５】
搬送ローラ３８の給紙方向の最下流側には、排紙シュート部３３が形成されている。排紙シュート部３３は、ＡＤＦカバー２８の内面と搬送ローラ３８とで構成された搬送路２６の湾曲部３２と連続するようにして、ＡＤＦカバー２８と区画板３１との間に形成されている。したがって、給紙トレイ２２から搬送路２６へ供給された原稿は、吸入シュート部２９、開口１６、湾曲部３２、排紙シュート部３３を順次経て、排紙トレイ２３に排出される。
【００５６】
スキャナ部３は読取載置台６を備える。この読取載置台６は、複合機１の筐体として構成されている。読取載置台６の本体フレーム６３は、図４及び図５に示すように、上面が開放された容器状の下フレーム６７と、上面に開口を有する上カバー６８とを備えており、下フレーム６７の上に上カバー６８が嵌め合わされることにより、本体フレーム６３が構成されている。上述したプラテンガラス２０は上記開口に露出するように、上カバー６８に取り付けられている。
【００５７】
プラテンガラス２０の表面全域１８は、スキャナ部３をＦＢＳとして使用する場合に原稿が載置される載置面を構成する。即ち、プラテンガラス２０の表面全域１８は、ＦＢＳにより原稿の画像を読み取る際に画像読取ユニット２１が走査可能な範囲であり、言い換えれば、画像読取ユニット２１によってプラテンガラス２０上に載置された原稿の画像が読み取られる範囲である。この表面全域１８が本発明のＦＢＳ読取領域に相当する。以下、プラテンガラス２０の表面全域をＦＢＳ読取領域１８と称する。
【００５８】
プラテンガラス２０のＡＤＦ７が設けられている側の一端側は、図２、図４、図５に示すように、搬送ローラ３８の下方まで延設されている。該搬送ローラ３８の下方に対応する装置奥行き方向(図４の紙面に垂直な方向)に延びるプラテンガラス２０上の領域、即ち、図２において破線で矩形状に囲まれた領域が、ＡＤＦ７を用いて画像読取りを行う際の読取領域（以下「ＡＤＦ搬送読取領域」と称する）１７である。このＡＤＦ搬送読取領域１７は、ＡＤＦ７を用いて原稿を搬送させながら該原稿の画像を読み取るときの読取位置を構成するものである。ＡＤＦ搬送読取領域１７は、図２に示すように、画像読取ユニット２１の主走査方向の長さに対応して、複合機１の奥行き方向(図４の紙面に垂直な方向)に延設されている。
【００５９】
本複合機１においては、上述したように、ＡＤＦ搬送読取領域１７とＦＢＳ読取領域１８とがプラテンガラス２０の表面上に設定されているものの、これらは物理的な部材によって区分されていない。即ち、プラテンガラス２０上においてＡＤＦ搬送読取領域１７とＦＢＳ読取領域１８とは同一面上に設けられており、ＦＢＳ読取領域１８の一部の領域がＡＤＦ搬送読取領域１７として用いられる。したがって、従来装置のようにＡＤＦ搬送読取領域１７とＦＢＳ読取領域１８とを区画する部材が設けられていない分だけ、装置の幅方向の規模を縮小することができる。
【００６０】
図４及び図５に示すように、プラテンガラス２０の幅方向（副走査方向）の一方端の外側、つまり、プラテンガラス２０のＡＤＦ７が設けられている側の端部外側には、すくい上げ部材４０(ガイド部材に相当)が設けられている。このすくい上げ部材４０は、ＡＤＦ搬送読取領域１７を通過した原稿をすくい上げて上記開口１６を介して搬送路２６に原稿を案内する役目を担う。すくい上げ部材４０は、合成樹脂などによって本体フレーム６３の上カバー６８と一体に形成されている。このすくい上げ部材４０には、プラテンガラス２０の端部の外側上方に向けて傾斜する傾斜面４０ａが設けられている。すくい上げ部材は、プラテンガラス２０との接合点において傾斜面４０ａの下端がプラテンガラス２０の上面より若干低くなるように位置決めされている。したがってＡＤＦ搬送読取領域１７を通過した原稿の先端は引っ掛かり無く円滑に傾斜面４０ａに導かれ、上方に位置する開口１６へ案内される。
【００６１】
また、図２及び図５に示すように、プラテンガラス２０のＡＤＦ７が設けられていない側の一端側、即ち、上記すくい上げ部材４０が設けられた一端側と相対する他方端側に、位置決め部材４１が介設されている。この位置決め部材４１は、複合機１の奥行き方向に延設された長尺の平板状の部材であって、プラテンガラス２０の上面に設けられている。
位置決め部材４１の上面には、原稿がプラテンガラス２０のＦＢＳ読取領域１８に載置された場合に原稿の主走査方向のサイズをユーザが容易に把握できるように、Ａ４（２１０×２９７ｍｍ）、Ｂ５（１８２×２５７ｍｍ）などの各種サイズの端点を示す表示が位置決め部材４１の中央点を基準にして表記されている。この位置決め部材４１に原稿の一端を突き当てることによって、ＦＢＳ読取領域１８に載置された原稿の一端が画されて、該原稿の主走査方向の載置位置が決められる。なお、原稿の副走査方向の位置決めは、原稿の一端が位置決め部材４１に突き当てつつ、その幅方向両端を該位置決め部材４１に示された端点に合わせることにより行われる。
【００６２】
本実施形態では、位置決め部材４１は読取載置台６の本体フレーム６３の上カバー６８と一体的に形成されており、位置決め部材４１が上カバー６８の一部を構成している。なお、変形例として、位置決め部材４１が上カバー６８とは別部材として構成されており、接着或いは嵌め込みなどによって位置決め部材４１が上カバー６８の上面に取り付けられるように構成されていてもよい。
【００６３】
位置決め部材４１の下方には、図５に示すように、画像信号のシェーディング補正に用いられる基準色部材４２(シェーディング補正基準部材に相当)が設けられている。具体的には、位置決め部材４１の下面とプラテンガラス２０の上面との間に、上記基準色部材４２が介設されている。即ち、基準色部材４２は、位置決め部材４１とプラテンガラス２０とによって挟まれるように設けられている。基準色部材４２としては、薄肉で所定色が着色された細長帯状のものであって、例えば、上記所定色に着色されたテープ状或いは薄板状のものがその典型である。或いは、位置決め部材４１の下面に上記所定色が直に着色されていてもよい。この場合は、所定色が着色された領域が、本発明のシェーディング補正基準部材に相当する。
【００６４】
基準色部材４２は、黒色に着色された黒基準領域と、白色に着色された白基準領域とを有する。これらの基準領域は、複合機１の奥行き方向、即ち、位置決め部材４１による原稿の位置決め方向に平行な帯状のものである。具体的には、黒基準領域と白基準領域とが原稿の位置決め方向に直交する方向に隣接して設けられている。したがって、基準色部材４２は、黒基準領域と白基準領域とによって原稿の位置決め方向に延びる黒と白のストライプ状に配色されていることになる。上記黒基準領域は上記白基準領域よりもプラテンガラス２０の中央側に設定されている。なお、これら基準領域は、黒色及び白色に限られず、赤、青、緑の色の三原色や、明度の異なる中間階調色など、種々の色彩を適用することができる。もちろん、基準領域の配色数も白と黒の２つに限定されることはない。また、単色の基準領域だけに限られず、網掛け、縞模様といった複数の図柄が付された基準領域を採用してもよい。要するに、基準領域は、画像読取ユニット２１のＣＩＳ４３の出力信号から原稿と基準領域との境界位置を判別することができるような色彩、図柄であれば如何なるものであってもかまわない。
【００６５】
本実施形態では、上記した位置決め部材４１の下側に画像読取ユニット２１のホームポジッションが設定されている。このホームポジションとは、画像読取動作を行わないときに画像読取ユニット２１が待機する位置のことを意味する。上記ホームポジションが位置決め部材４１の下側に設定されているため、プラテンガラス２０上に載置された原稿を読み取る際の初動が迅速に行われ得る。なお、上記ホームポジションは、位置決め部材４１の真下である必要はなく、位置決め部材４１の真下から所定距離ずれた位置であってもよい。
【００６６】
読取載置台６の内部には、図４から図６に示すように、プラテンガラス２０に対向するようにして、画像読取ユニット２１が、複合機１の幅方向（図５及び図６の左右方向）に往復動可能に設けられている。ここに、図６は、読取載置台６の内部構成を示す平面図である。なお、説明の便宜上、図６中において、上カバー６８および原稿押さえカバー８を省略している。
【００６７】
読取載置台６の筐体である本体フレーム６３は合成樹脂製のものである。図６に示すように、この本体フレーム６３の下フレーム６７内に、画像読取ユニット２１が配設されている。下フレーム６７は底板を構成するベース部６４と、ベース部６４の周囲から起立した側壁６５と、画像読取ユニット２１が配設される部分と操作パネル４の基板等が配設される部分とを仕切る仕切板６６とが一体的に成形されたものである。また、下フレーム６７には、プラテンガラス２０を支持するための支持リブや、各種部材をネジ止めするためのボス部、電気配線等のための貫通孔等が設けられているが、これらは読取載置台６の実施態様に応じて適宜設計されるものなので、詳細な説明は省略する。
【００６８】
画像読取ユニット２１は、ＣＩＳ（Contact Image Sensor）４３とキャリッジ４４とを有して構成されている。ＣＩＳ４３は、複合機１の奥行き方向（図６の上下方向）を主走査方向とするラインイメージセンサである。詳細には、ＣＩＳ４３は、原稿が載置されるプラテンガラス２０に対して光源を発光させて光を照射し、原稿や押さえ部材１９、基準色部材４２などからの反射光をレンズにより受光素子（光電変換素子）に導き、該受光素子が反射光の強度（輝度や光量）に応じた電気信号を出力するいわゆる密着型のラインイメージセンサである。なお、この主走査方向に直交し、且つ、プラテンガラス２０に平行な方向が副走査方向である
【００６９】
ＣＩＳ４３は、キャリッジ４４に搭載されて、プラテンガラス２０の下方を往復移動される。キャリッジ４４は、下フレーム６７の幅方向、即ち複合機１の幅方向に渡って架設されたガイドシャフト６９と嵌合し、ベルト駆動機構７０により駆動されて、ガイドシャフト６９上を摺動するように移動される。キャリッジ４４がＣＩＳ４３をプラテンガラス２０に密着させるように搭載してガイドシャフト６９上を移動することにより、ＣＩＳ４３がプラテンガラス２０と平行に移動される。
【００７０】
ベルト駆動機構７０は、装置の幅方向の両端にそれぞれ設けられた駆動プーリ７２と従動プーリ７３との間に、内側に歯が設けられた無端環状のタイミングベルト７１が張架されてなるものである。上記駆動プーリ７２の軸にはキャリッジモータ５４（図３参照）から駆動力が入力される。駆動プーリ７２の回転により、タイミングベルト７１が周運動する。キャリッジモータ５４にはステッピングモータが用いられる。従って、ベルト駆動機構７０による画像読取ユニット２１の搬送距離および搬送位置は、キャリッジモータ５４のステップ数を監視することにより測定される。なお、タイミングベルト７１は無端環状のもののほか、有端のベルトの両端部をキャリッジ４４に固着するものを用いてもよい。
【００７１】
なお、本実施形態では、ＣＩＳ４３を含んで構成される画像読取ユニット２１がスキャナ部３に適用される例について説明するが、例えば、ＣＣＤ（Charge Coupled Device，電荷結合素子）或いはＣＭＯＳ（Complementary Metal-Oxide Semiconductor，相補型金属酸化膜半導体）等のイメージセンサから構成されてなる画像読取ユニットや、他の公知の画像読取ユニットをスキャナ部３に適用することも可能である。
【００７２】
このように構成されたスキャナ部３をＦＢＳとして使用する場合は、原稿押さえカバー８を開いてプラテンガラス２０のＦＢＳ読取領域１８に原稿を載置し、そして、原稿押さえカバー８を閉じて該原稿をプラテンガラス２０上に固定する。このとき、読取指示が入力されていない状態では、画像読取ユニット２１は、位置決め部材４１の下側に設定されたホームポジションで待機している。
【００７３】
操作パネル４のスタートボタンが押下されるなどして読取指示が入力されると、原稿の画像読取りを開始する前に、光源の光量の不均一やレンズの欠陥、受光素子の精度誤差などによるＣＩＳ４３の出力値の不均等を補正するためにシェーディング補正が行われる。具体的には、まず、ベルト駆動機構７０が作動されて、画像読取ユニット２１が上記白基準領域の画像の読取位置まで移動される。そして、当該位置において、十分に小さい光量からスタートして徐々に光源の発光量を上げていき、基準色部材４２の上記白基準領域からの反射光量が予め定められた基準光量に達したときの光源の光量を光量調整値としてＲＡＭ４８等に記憶する。
【００７４】
光量の調整が終わると、調整後の光量で上記白基準領域からの反射光を取得して白レベルデータとしてＲＡＭ４８に記憶する。さらにまた、上記黒基準領域からの反射光を取得して黒レベルデータとしてＲＡＭ４８に記憶する。このとき、画像読取ユニット２１は、上記白基準領域と上記黒基準領域との境界を跨ぐように反射光を受光しながら移動される。この際に、基準色部材４２からの反射光量の変化に基づいて、上記境界位置が検出される。画像読取ユニット２１の移動距離及び移動位置は、上記検出された境界位置を基準にしてカウントされるキャリッジモータ５４のステップ数に基づいて計測される。
【００７５】
上記白レベルデータと黒レベルデータは、ＣＩＳ４３の主走査方向全域に亘って取得される。しかしながら、ＣＩＳ４３から画像データとして出力される出力値は、上述したように、光源の光量の不均一やレンズの欠陥、受光素子の精度誤差などによって不均等となる。この不均等な出力値は、ＣＩＳ４３の出力値の偏差（平均値との差分）が除去或いは加算されることによって平滑化される。かかる平滑化処理は、制御部４５のＣＰＵ４６などによって実行される処理であって、シェーディング補正処理と称される。なお、言うまでもないが、シェーディング補正の手法としては上述した手法以外の種々の手法を適用することが可能である。
【００７６】
上述したシェーディング補正がなされると、画像読取ユニット２１は、位置決め部材４１の下側に設定されたホームポジションに一端戻される。その後、原稿の画像を読み取るべく、ガイドシャフト６９上を摺動するようにして、ホームポジションから画像読取ユニット２１がプラテンガラス２０の下方を移動される。このとき、画像読取ユニット２１のＣＩＳ４３は、移動しながらプラテンガラス２０上に載置された原稿に光を照射すると共に、該原稿からの反射光を受光し、受光した光を電気信号に変換する。このように変換された電気信号が、原稿の画像データとして読み取られることになる。
【００７７】
画像読取ユニット２１が所定距離移動されると画像読取りが終了したと判断される。このとき、画像読取ユニット２１は上記ホームポジションに戻される。もちろん、画像読取ユニット２１を上記ホームポジションに戻すタイミングは適宜設定することができる。したがって、画像読取りが終了した直後でなく、次の画像読取りの支持が入力されたタイミング或いは、画像読取終了から所定時間が経過したタイミングで画像読取ユニット２１を上記ホームポジションに戻すようにしてもよい。
【００７８】
一方、ＡＤＦ７を使用して原稿の画像を読み取る場合は、操作パネル４のスタートボタンが押下されるなどして読取指示が入力されると、画像読取ユニット２１は、上述したシェーディング補正がなされた後に、上記ホームポジションから、ＡＤＦ搬送読取領域１７の下側の読取ポジション（図４参照）に移動され、その位置で静止する。また、画像読取ユニット２１の移動動作と並行して、吸入ローラ３４及び分離ローラ３６によって給紙トレイ２２に載置された原稿が搬送路２６に送り出される。搬送路２６に送り出された原稿は、搬送ローラ３８とニップローラ３９とによって狭持されつつ給紙方向下流側へ向けて搬送される。
【００７９】
搬送ローラ３８によって原稿が搬送される過程において、原稿は、原稿押さえカバー８の下面に設けられた開口１６から搬送路２６外に一旦排出されて、プラテンガラス２０上のＡＤＦ搬送読取領域１７に向けて搬送される。このとき、ＡＤＦ搬送読取領域１７上を通過する原稿は、その下方で待機する画像読取ユニット２１によって画像が読み取られる。ＡＤＦ搬送読取領域１７上を通過して、プラテンガラス２０の端部に向けて搬送された原稿は、すくい上げ部材４０の傾斜面４０ａに原稿先端が当接して、該原稿先端の向きが上方へ変更される。これにより、原稿は再び開口１６を経て搬送路２６に戻される。搬送路２６に戻された原稿は、湾曲部３２によって上方へ曲げられるようにして搬送され、排紙シュート部３３を経て、給紙トレイ２２の上方に配置された排紙トレイ２３に排出される。なお、ＡＤＦ７を使用した画像読取りが終了すると画像読取ユニット２１は上記ホームポジションに戻されるが、この戻されるタイミングは任意に設定される。
【００８０】
上述したように、本実施形態の複合機１においては、プラテンガラス２０の副走査方向の一方端にすくい上げ部材４０が設けられ、その他方端に位置決め部材４１が設けられているため、プラテンガラス２０の全域が原稿の読取面であるＦＢＳ読取領域１８として用られ、且つ、その一部がＡＤＦ搬送読取領域１７として兼用され得る。更にまた、スキャナ部３には位置決め部材４１が設けられているため、ＦＢＳ読取領域１８に載置された原稿の位置決めを容易に行うことが可能である。
【００８１】
なお、上述の実施形態は本発明の一例にすぎず、本発明の要旨を変更しない範囲で、実施形態を適宜変更できることは言うまでもない。
【図面の簡単な説明】
【００８２】
【図１】本発明の実施形態に係る複合機１の外観構成を示す斜視図であり、原稿押さえカバー８が閉じられた状態を示す図。
【図２】本発明の実施形態に係る複合機１の外観構成を示す斜視図であり、原稿押さえカバー８が開けられた状態を示す図。
【図３】複合機１の制御部４５の構成を示すブロック図。
【図４】ＡＤＦ７の内部構成を示す部分断面図。
【図５】スキャナ部３の内部構成を示す断面図。
【図６】読取載置台６の内部構成を示す平面図。
【図７】従来の原稿搬送装置１１０の概略構成を示す模式図。
【図８】画像読取ユニット１０３の動作を説明する模式図。
【符号の説明】
【００８３】
１・・・複合機
２・・・プリンタ部
３・・・スキャナ部（画像読取装置）
４・・・操作パネル
５・・・スロット部
６・・・読取載置台
７・・・ＡＤＦ
８・・・原稿押さえカバー
１６・・・開口
１７・・・ＡＤＦ搬送読取領域
１８・・・ＦＢＳ読取領域
２０・・・プラテンガラス
２１・・・画像読取ユニット(画像読取手段)
４０・・・すくい上げ部材(ガイド部材）
４１・・・位置決め部材
４２・・・基準色部材(シェーディング補正基準部材)
【図１】
2007259129.tif 000003
【図２】
2007259129.tif 000004
【図３】
2007259129.tif 000005
【図４】
2007259129.tif 000006
【図５】
2007259129.tif 000007
【図６】
2007259129.tif 000008
【図７】
2007259129.tif 000009
【図８】
2007259129.tif 000010